【手続補正書】
【提出日】平成18年9月21日(2006.9.21)
【手続補正１】
【補正対象書類名】明細書
【補正対象項目名】特許請求の範囲
【補正方法】変更
【補正の内容】
【特許請求の範囲】
【請求項１】  管腔内デバイスであって、以下：
二つの端部を有する管状本体であって、該本体は、半径方向に圧縮された状態から半径方向に拡張された状態へ、拡張するかまたは拡張され得る、管状本体；および
該本体の該端部の中間に配置される位置において、該本体の壁に接続されるかまたは該本体の壁と一体である少なくとも一つの係合部材；
を備え、ここで、
該少なくとも一つの係合部材と該本体との間の接続は、該本体が半径方向に圧縮されると、該係合部材が、該本体の隣接する部分と第一の角度的関係を占有することを可能にし、該本体が半径方向に拡張されると、該本体と第二の異なった角度的関係を占有することを可能にするようなものである、デバイス。
【請求項２】  管腔内デバイスであって、以下：
二つの端部を有する管状本体であって、該本体は、インビボで半径方向に圧縮された状態から半径方向に拡張された状態へ、拡張するかまたは拡張され得る、管状本体；および
該本体の壁に接続されるかまたは該本体の壁と一体である少なくとも一つの係合部材；を備え、ここで、
該少なくとも一つの係合部材と該本体の構成および材料が、該本体が半径方向に圧縮されると、該係合部材が、該本体の隣接する部分と第一の角度的関係を占有し、該本体が半径方向に拡張されると、該本体と第二の異なった角度的関係を占有するようなものである、デバイス。
【請求項３】  前記管状本体が、ステントまたは一連の間隔が空けられたステントから形成され、該ステントがそれ自体、管内移植片が装着され得る枠組みを形成する、請求項１または２に記載の管腔内デバイス。
【請求項４】  前記枠組みが、複数の別々の、間隔が空けられた、展性のワイヤーから形成される、請求項３に記載の管腔内デバイス。
【請求項５】  前記ステント（単数または複数）が、連続的である、請求項３または４に記載の管腔内デバイス。
【請求項６】  前記ステント（単数または複数）が、実質的に前記デバイスの半径方向に内側の表面にある、請求項３〜５のいずれか一項に記載の管腔内デバイス。
【請求項７】  前記本体が、少なくとも二つの材料の層から形成される、請求項１〜６のいずれか一項に記載の管腔内デバイス。
【請求項８】  前記ワイヤーが、多層の管状本体の層の間に挟まれる、請求項４に記載の管腔内デバイス。
【請求項９】  前記管状本体が、ニチノール、ステンレススチール、タンタルまたはエルジロイを含む群から選択される、薄い生体適合性の材料によって形成される、請求項１または２に記載の管腔内デバイス。
【請求項１０】  前記デバイス本体の外面が、半径方向に圧縮された状態および半径方向に拡張された状態の両方において該コーティング材料が該デバイス本体を被覆することを可能にするような、弾性特性を有する材料で付加的にコートされる、請求項１〜９のいずれか一項に記載の管腔内デバイス。
【請求項１１】  前記本体の壁が、透過性である、請求項１〜１０のいずれか一項に記載の管腔内デバイス。
【請求項１２】  前記本体の壁の透過性が、前記本体の壁の任意のパターンに形成された複数の穿孔によって作製される、請求項１１に記載の管腔内デバイス。
【請求項１３】  前記デバイス本体が、円柱状のメッシュの形態を取る、請求項１１または１２に記載の管腔内デバイス。
【請求項１４】  前記少なくとも一つの係合部材が、一旦前記デバイスが前記脈管内の所望の配置に位置決めされると、該デバイスが脈管内で長手方向に動くことを防ぐためのアタッチメント、フックまたはアンカーとして作用する、請求項１〜１３のいずれか一項に記載の管腔内デバイス。
【請求項１５】  前記少なくとも一つの係合部材が、他の器具またはデバイスを係合するための手段として作用する、請求項１〜１４のいずれか一項に記載の管腔内デバイス。
【請求項１６】  前記間隔を空けられたワイヤーが、ほぼ閉鎖された正弦波形状またはジグザグ形状を有し、前記係合部材が、該ワイヤーの該正弦波形状またはジグザグ形状を備える該ピークおよび／または谷の任意の一つまたはすべてから延びる、請求項４に記載の管腔内デバイス。
【請求項１７】  前記係合部材が、チタニウム、ニチノール、ステンレススチール、または一つ以上の一連の形状記憶合金を含む群から選択される材料から形成される、請求項１〜１６のいずれか一項に記載の管腔内デバイス。
【請求項１８】  前記係合部材が、吸収性材料から形成される、請求項１〜１６のいずれか一項に記載の管腔内デバイス。
【請求項１９】  前記係合部材が、細胞の接着および／または細胞増殖を促進する材料でコートされている、請求項１〜１８のいずれか一項に記載の管腔内デバイス。
【請求項２０】  前記係合部材が、すべて同じ長さである、請求項１〜１９のいずれか一項に記載の管腔内デバイス。
【請求項２１】  係合部材の各々が、少なくとも一つの他の係合部材の角度的関係と比べて異なる、該本体に対する第一の角度的関係および第二の角度的関係を有し得る、請求項１〜２０のいずれか一項に記載の管腔内デバイス。
【請求項２２】  前記デバイス本体と前記係合部材との間の関係が、該デバイス本体が半径方向に圧縮された状態にあるとき、個々の該係合部材の少なくとも一つが、該デバイス本体の該壁の一部に沿って延びるか、または該壁の一部を形成するものである、請求項１〜２１のいずれか一項に記載の管腔内デバイス。
【請求項２３】  前記デバイス本体と前記係合部材との間の関係が、該デバイス本体が半径方向に圧縮された状態にあるとき、該係合部材の少なくとも一つが、該デバイス本体の管腔内で内向きに突出する、請求項１〜２２のいずれか一項に記載の管腔内デバイス。
【請求項２４】  前記係合部材が、機械的に補助された変化によって前記第一の個々の角度的関係から前記第二の個々の角度的関係へ変化させられる、請求項１〜２３のいずれか一項に記載の管腔内デバイス。
【請求項２５】  前記機械的に補助された変化が、膨張可能なバルーンによって行われる、請求項２４に記載の管腔内デバイス。
【請求項２６】  前記バルーンが膨張するとき、外側に延びる一連のディンプルを有し、前記デバイスが患者の身体内の脈管へ導入されるとき、該ディンプルが、個々の係合部材を該デバイスの個々の部分とのそれらの第二の角度的関係へ押しやり得るように配置される、請求項２５に記載の管腔内デバイス。
【請求項２７】  前記係合部材が、熱的に補助された変化によってそれらの第一の個々の角度的関係からそれらの第二の個々の角度的関係へ変化することが可能とされる、請求項１〜２３のいずれか一項に記載の管腔内デバイス。
【請求項２８】  患者の身体内の脈管への前記デバイスの導入が、前記係合部材がその第一の個々の角度的関係からその第二の個々の角度的関係へ変化させるために十分にその温度を変化させるために適切である、請求項２７に記載の管腔内デバイス。
【請求項２９】  前記係合部材が、記憶に補助された変化によって、その第一の個々の角度的関係からその第二の個々の角度的関係へ変化することを可能にする、請求項１〜２３のいずれか一項に記載の管腔内デバイス。
【請求項３０】  前記デバイスが、前記係合部材が最初はそれらの第二の個々の角度的関係にあるように製造される、請求項２９に記載の管腔内デバイス。
【請求項３１】  手動の圧縮が、前記係合部材がそれらの第二の個々の角度的関係から変化させるために適切であり、該手動の圧縮が、該手動の圧縮の解放に際し、該係合部材が直ちにそれらの個々の第二の角度的関係に戻るような、該係合部材が一時的にのみ該変化を起こさせるためにのみ適切である、請求項３０に記載の管腔内デバイス。
【請求項３２】  前記係合部材が、幾何学的に補助された変化によってそれらの第一の個々の角度的関係からそれらの第二の個々の角度的関係へ変化することが可能とされる、請求項１〜２３のいずれか一項に記載の管腔内デバイス。
【請求項３３】  前記デバイスが、脈管内へのその導入の間、半径方向に圧縮された状態にある、請求項１〜３２のいずれか一項に記載の管腔内デバイス。
【請求項３４】  前記管状本体が、機械的拡張によって半径方向に圧縮された状態から半径方向に拡張された状態へ変化させる、請求項１〜３３のいずれか一項に記載の管腔内デバイス。
【請求項３５】  機械的拡張が、膨張可能なバルーンによって行われる、請求項３４に記載の管腔内デバイス。
【請求項３６】  動脈瘤の疾患の処置において用いられる場合の、請求項１〜３５のいずれか一項に記載のデバイス。
【請求項３７】  狭窄の疾患の処置において用いられる場合の、請求項１〜３５のいずれか一項に記載のデバイス。
【請求項３８】  大腿動脈、膝窩動脈、大動脈の胸部セグメント、腎動脈および腸間膜動脈を含む任意の内臓の動脈、腸骨動脈および鎖骨下動脈の動脈瘤の処置において用いられる場合の、請求項１〜３５のいずれか一項に記載の管腔内デバイス。
【請求項３９】  前記末梢血管中および／または冠状循環を含む脈管中、および／または肝胆管路および尿生殖器路を含む他の脈管中における狭窄傷害の処置において用いられる場合の、請求項１〜３５のいずれか一項に記載の管腔内デバイス。
【請求項４０】  患者の身体内の脈管内へ請求項１〜３５のいずれか一項に記載の管腔内デバイスを位置決めするためのシステムであって、該システムは、該管腔内デバイス、およびカテーテルまたは他の送達デバイスを備え、該カテーテルまたは他の送達デバイスは、患者の身体内の静脈、動脈または他の脈管内へ導入されるように構成されており、該システムは：
該管腔内デバイスが脈管中へ延びるまで、該カテーテルまたは他の送達デバイスを通じて半径方向に圧縮された状態で該デバイスを搬送するための手段；
該デバイスを拡張させるための手段；
前記少なくとも一つの係合部材が前記デバイス本体とのその第二の角度的関係を占有させるるための手段；および
該管腔内デバイスを脈管内へ導入するために用いられる他の任意のデバイスとともに該カテーテルまたは他の送達デバイスを引き出すための手段、
を備える、システム。